(57)【特許請求の範囲】
【請求項１】
指針が指示する指標部を備えた文字板と、前記文字板を支持する支持体とを備え、前記支持体に抜け止め突起を有する突出部を形成し、前記文字板に前記突出部が挿通する貫通孔を設けるとともに前記貫通孔に前記抜け止め突起を挿通させる切り欠きを形成し、前記切り欠きと前記抜け止め突起を合致させることで前記突出部を前記文字板の貫通孔に挿通させ、さらに前記文字板を所定角度回転させることで、前記抜け止め突起を前記文字板に引っ掛けて前記支持体に固定した文字板の固定構造において、着色部を前記貫通孔の周囲に設けるとともに、前記抜け止め突起と前記着色部とは異なる色の固定確認部を前記貫通孔の周囲に設け、前記文字板を前記支持体の正しい位置に固定したときに、前記固定確認部の少なくとも一部が前記抜け止め突起の背後に位置し覆い隠されることを特徴とする文字板の固定構造。
【請求項２】
前記固定確認部を前記抜け止め突起と同形状としたことを特徴とする請求項１に記載の文字板の固定構造。
【請求項３】
前記着色部を印刷によって形成したことを特徴とする請求項１に記載の文字板の固定構造。
【請求項４】
前記着色部を前記指標部と同一色としたことを特徴とする請求項３に記載の文字板の固定構造。
【発明の詳細な説明】
【技術分野】
【０００１】
本発明は、例えば車両用計器に採用される文字板の固定構造に関するものである。
【背景技術】
【０００２】
従来の文字板の固定構造は、文字板の背面にケースや導光体などの支持体を備え、前記支持体の中央部に抜け止め突起を有するボス部を形成し、前記文字板に前記ボス部の嵌合孔を設けるとともに前記嵌合孔に前記抜け止め突起を挿通させる切り欠きを形成し、前記切り欠きと前記抜け止め突起を合致させて前記ボス部を前記文字板の嵌合孔に挿通させ、前記文字板を所定角度回転させて、前記抜け止め突起で前記嵌合孔の周囲を保持して前記支持体に固定するものであった（例えば、特許文献１参照）。
【特許文献１】実開昭６３−１２４６２１号公報（第１図〜第３図）
【発明の開示】
【発明が解決しようとする課題】
【０００３】
しかしながら、特許文献１の文字板の固定構造では、前記文字板を前記支持体に固定する時、特に、前記文字板の嵌合孔を前記支持体のボス部に貫通させる時に、前記ボス部に設けた抜け止め突起を前記嵌合孔が乗り上げて貫通する構造ではないため、固定時に生じる「パチン」などの音が小さくあるいは音がしない。よって、組み付ける作業において、組み付け時の音による確認はできず、前記抜け止め突起が前記文字板の前記嵌合孔を確実に固定しているかどうかは、目視で確認する必要があった。しかし、前記抜け止め突起を目視で確認するのは、容易ではなく、見逃しやすいという問題があった。
【０００４】
そこで、本発明は、この点に鑑みてなされたもので、その主な目的は、抜け止め突起の固定を目視で容易に確認することが可能な文字板の固定構造を提供するものである。
【課題を解決するための手段】
【０００５】
本発明は、前記目的を達成するため、指針が指示する指標部を備えた文字板と、前記文字板を支持する支持体とを備え、前記支持体に抜け止め突起を有する突出部を形成し、前記文字板に前記突出部が挿通する貫通孔を設けるとともに前記貫通孔に前記抜け止め突起を挿通させる切り欠きを形成し、前記切り欠きと前記抜け止め突起を合致させることで前記突出部を前記文字板の貫通孔に挿通させ、さらに前記文字板を所定角度回転させることで、前記抜け止め突起を前記文字板に引っ掛けて前記支持体に固定した文字板の固定構造において、着色部を前記貫通孔の周囲に設けるとともに、前記抜け止め突起と前記着色部とは異なる色の固定確認部を前記貫通孔の周囲に設け、前記文字板を前記支持体の正しい位置に固定したときに、前記固定確認部の少なくとも一部が前記抜け止め突起の背後に位置し覆い隠されるものである。
【０００７】
また、前記固定確認部を前記抜け止め突起と同形状としたものである。
【０００９】
また、前記着色部を印刷によって形成したものである。
【００１０】
また、前記着色部を前記指標部と同一色としたものである。
【発明の効果】
【００１１】
以上、請求項１に記載の発明により、所期の目的を達成することができ、抜け止め突起の固定を目視で容易に確認することが可能な文字板の固定構造を提供することができる。
【００１３】
また、請求項２に記載の発明により、所期の目的を達成することができ、抜け止め突起の固定を目視で容易に確認することができるとともに、確実に固定されているか否かを容易に確認することが可能な文字板の固定構造を提供することができる。
【００１５】
また、請求項３に記載の発明により、所期の目的を達成することができ、抜け止め突起の固定を目視で容易に確認することができるとともに、着色部を容易に形成することが可能な文字板の固定構造を提供することができる。
【００１６】
また、請求項４に記載の発明により、所期の目的を達成することができ、抜け止め突起の固定を目視で容易に確認することができるとともに、着色部を前記文字板の指標部を形成する際に同時に形成することが可能な文字板の固定構造を提供することができる。
【発明を実施するための最良の形態】
【００１７】
以下、本発明の第１実施形態を図１から図７を用いて説明する。
【００１８】
本発明の文字板の固定構造を計器装置１を用いて説明する。計器装置１は、文字板２と、この文字板２を支持する支持体となるケース３とを備えている。
【００１９】
文字板２は透明な合成樹脂からなり、その表面に指針が指示する図示しない指標部を備えている。文字板２は、前記指標部が白色であり、地の部分が黒色で、それぞれ印刷によって形成されている。そして、その中央部に貫通孔４を備えている。この貫通孔４を図示しない指針の回転軸が挿通し、また、後述するケース３に設けた突出部であるボス部もこの貫通孔４を挿通する。また、この貫通孔４には、外周方向に貫通孔４を拡げた切り欠き５が形成されている。この切り欠き５は、３つ設けられており、各々１２０度の間隔を備えている。よって、貫通孔４は、切り欠き５の部分が径大の円弧５ａとなり、切り欠き５を設けない部分は径小の円弧４ａとなる。そして、貫通孔４の周囲に後述する抜け止め突起と同系色、本実施形態では、白色に着色された着色部４ｂを備えている。図中では、着色部４ｂの周囲は、文字板２の地の色である黒を一部斜線部にて示してある。そして、貫通孔４の周囲には、後述する抜け止め突起と同形状の固定確認部４ｃが、着色部４ｂとは異なる色、本実施形態では、黒色にて形成されている。なお、前記指標部として、目盛や文字や記号などを備えている。そして、前記指標部と着色部４ｂは、同一色であるため、同一の印刷工程によって形成されている。また、文字板２の右上方に設けた孔６は、文字板２の回転を防止するとともに、位置を決めるためのものである。
【００２０】
ケース３は、本実施形態では、不透明な白色の合成樹脂製である。このケース３は円筒状の突出部であるボス部７を備えている。このボス部７の先端部には、外周方向に突出した抜け止め突起８が設けられている。この抜け止め突起８は、本実施形態では、３つ設けられている。なお、ケース３の符号１０は、文字板２の孔６に嵌合するピンであり、ピン１０が孔６に嵌合することで、文字板２の回転を防止するとともに、位置を決めるためのものである。
【００２１】
また、ボス部７の外径は、文字板２の貫通孔４の径小の円弧４ａとほぼ同等か、やや小さく、さらに、ボス部７の抜け止め突起８の外径は、文字板２の貫通孔４の切り欠き５の径大の円弧５ａよりも径が小さい。よって、図１に示す状態で、抜け止め突起８を備えたボス部７が切り欠き５を備えた貫通孔４に接触することなく挿通することができる。
【００２２】
文字板２をケース３に固定するには、図１で示すように、切り欠き５と抜け止め突起８を合致させて、ボス部７を文字板２の貫通孔４に挿通させる。次に、図１の状態から文字板２を所定角度、本実施形態では時計回り（図１中の矢印方向）に６０度回転させて、文字板２の孔６をケース３のピン１０に挿入して、ケース３に固定する（固定した状態は図２を参照）。この状態で、ボス部７の抜け止め突起８が貫通孔４の径小の円弧４ａ部分を抑えて文字板４を固定することができる。
【００２３】
文字板２の孔６をケース３のピン１０に挿入することで、文字板２をケース３に正しい位置に固定する。固定される前は、図１や図５にて、固定確認部４ｃを視認することができるが、文字板２を回転させてケース３の正しい位置に固定すると、図２や図６に示すように、文字板２の貫通孔４の周囲に設けた固定確認部４ｃは、ケース３の抜け止め突起８にて覆い隠される。よって、組み付け作業を行う場合に、固定確認部４ｃを視認することができない場合は、正しく確実に固定されていることが確認できる。仮に、図７で示すように、抜け止め突起８のなかで図７中右下側の抜け止め突起８が文字板２の背後に位置し、確実に固定されていない場合では、文字板２に設けた固定確認部４ｃが視認可能の状態となり、確実に固定されていないことが確認できる。これは、貫通孔４ｂの周囲に抜け止め突起８と同系色にて着色された着色部４ｂを設けたことにより、同系色からなるボス部７、抜け止め突起８および着色部４ｂのなかで、異なる色の固定確認部４ｃのみが際立って視認されることによって、より容易に確認することができるものである。本発明は、本実施形態のように、ボス部７に抜け止め突起８を複数設けた場合に、特に効果を発揮するが、ボス部７に抜け止め突起８が１つだけ設けた場合であってもよい。また、本実施形態では、文字板２の貫通孔４を貫通するボス部７に抜け止め突起８を設けた構成であったが、抜け止め突起８を設ける部分は、ボス部７に限定されるものではなく、本実施形態のような、支持体であるケース３のボス部７を支点に文字板２を回転させて固定するものに限らず、支持体であるケース３に文字板２の周囲を固定する抜け止め突起を備えた固定片を設け、この抜け止め突起にて文字板２の周囲を固定するものに適用しても良い。
【００２４】
なお、本実施形態では、ケース３は不透明な白色の合成樹脂製であったが、前記実施形態に限定されるものではなく、例えば、黒色の不透過性の合成樹脂からなるものであってもよい。この場合、文字板２の貫通孔４の周囲に形成される着色部４ｂは黒色とし、固定確認部４ｃを白色に形成すればよい。なお、この場合、着色部４ｂが黒色と言うことは、文字板２の地の色と同じこととなる。
【００２５】
なお、本実施形態では、貫通孔４の周囲に白色の着色部４ｂを設けたが、前記実施形態に限定されるものではなく、抜け止め突起８の色とは異なる色で、かつ、文字板２の貫通孔４の周囲の色と異なる色であってもよい。この場合、固定確認部４ｃを赤や青或いは、朱色などの色としても良い。この場合でも、抜け止め突起８が確実に文字板４の前面に位置していない場合、固定確認部４ｃの有無を容易に確認することができるので、抜け止め突起８の固定を目視で容易に確認することができる。
【００２６】
また、本実施形態では、突出部であるボス部７は円筒状であったが、本実施形態に限定されるものではなく、円筒に抜け止め突起８毎に分割した形状であっても良い。
【００２７】
また、本実施形態では、固定確認部４ｃは、抜け止め突起８と同形状で、抜け止め突起８にて覆い隠されていたが、本実施形態に限定されるものではなく、抜け止め突起８とは異なる形状でもよい。例えば、図８、９に示す第２実施形態のように、文字板２の貫通孔４の周囲に設けた凸形状の固定確認部１０４でもよい。この固定確認部１０４は、文字板２を固定したときに、全てが覆い隠されるわけではなく、抜け止め突起８の周囲に隠されない部分を備えている。なお、本実施形態では、抜け止め突起８が固定確認部１０４の主要部を覆い隠すので、固定確認部１０４をあたかも３つに分割したような市松模様状に見えると文字板２を確実に固定したと確認でき、固定確認部１０４が凸形状に見える場合は、固定されていないと判断することができる。
【図面の簡単な説明】
【００２８】
【図１】本発明の第１実施形態の文字板固定前の上面図。
【図２】同実施形態の文字板固定後の上面図。
【図３】図１中Ａ−Ａ線の断面図。
【図４】図２中Ｂ−Ｂ線の断面図。
【図５】同実施形態の拡大した文字板固定前の上面図。
【図６】同実施形態の拡大した文字板固定後の上面図。
【図７】同実施形態の一部が固定されていない状態での文字板固定後の上面図。
【図８】本発明の第２実施形態の拡大した文字板固定前の上面図。
【図９】同実施形態の拡大した文字板固定後の上面図。
【符号の説明】
【００２９】
１    計器装置
２    文字板
３    ケース
４    貫通孔
４ａ  径小の円弧
４ｂ  着色部
４ｃ、１０４  固定確認部
５    切り欠き
５ａ  径大の円弧
６    孔
７    ボス部（突出部）
８    抜け止め突起
１０    ピン
【図１】
0004840682.tif 000002
【図２】
0004840682.tif 000003
【図３】
0004840682.tif 000004
【図４】
0004840682.tif 000005
【図５】
0004840682.tif 000006
【図６】
0004840682.tif 000007
【図７】
0004840682.tif 000008
【図８】
0004840682.tif 000009
【図９】
0004840682.tif 000010